(57)【要約】【課題】本発明は健康診断結果をインターネットにより入手することを可能とする技術に関し、データベースへの接続・認証を容易確実に行うことを目的とする。【解決手段】インターネットサーバ１０においては個人毎に割り当てられる識別因子毎に健康診断結果が格納される。識別因子を格納すると共にインターネットサーバ１０のURLアドレスを格納したCD-R 14-1, 14-2, 14-3が個人毎に別々に提供される。クライエントコンピュータ12A, 12B, 12CへのCD-Rの装着時にCD-R中のURLアドレス及び識別因子を読取ることにより、クライエントコンピュータをインターネットサーバ１０に自動接続すると共に、識別因子に対応するインターネットサーバ１０中の個人情報格納領域へのアクセスを認証し、クライエントコンピュータ側よりその特定個人の健康診断情報の取得を可能とする。【選択図】  図１
2004220576.tif 000002
【特許請求の範囲】
【請求項１】
個人毎にウエブサーバに情報を格納し、ウエブサーバにおいて個人毎に識別因子を割り当て、その個人の識別因子を格納すると共にウエブサーバのアドレスを格納した自己起動型の記録媒体を個人毎に別々に提供し、クライエントコンピュータへの記録媒体の装着の有無を記録媒体装着検知手段にて検知し、記録媒体の装着を検知された記録媒体中の前記アドレス及び識別因子を読取手段にて読取り、クライエントコンピュータを読取られた前記アドレスのウエブサーバに接続手段にて接続すると共に、読み取られた識別因子に対応するウエブサーバ中の個人情報格納領域へのアクセスを認証手段により認証し、これによりクライエントコンピュータ側よりその特定個人の情報の取得を可能とするようにしたことを特徴とする個人情報提供方法。
【請求項２】
請求項１に記載の発明において、個人情報はその個人の健康関連情報であることを特徴とする個人情報提供方法。
【請求項３】
請求項２に記載の発明において、前記ウエブサーバは、個人の健康関連情報として、検診項目毎に一連の所定回数の健康診断結果を格納していることを特徴とする個人情報提供方法。
【請求項４】
請求項３に記載の発明において、検診項目毎に今回の健康診断結果と先行の健康診断結果とを比較手段により比較し、比較の結果を表示手段により表示するようにしたことを特徴とする個人情報提供方法。
【請求項５】
個人毎に情報を格納したウエブサーバと、ウエブサーバにおいて個人毎に識別因子を割り当てる手段と、個人毎に提供され、その個人の識別因子及びウエブサーバのアドレスを格納した自己起動型の記録媒体と、クライエントコンピュータへの記録媒体の装着を検知する手段と、記録媒体の装着時に自動起動され、記録媒体に格納された前記アドレス及び識別因子を読取る手段と、クライエントコンピュータを読み取られたアドレスに対応するウエブサーバに自動接続せしめる手段と、読み取られた識別因子に対応するウエブサーバ中の個人情報格納領域へのアクセスを認証する手段とを備え、クライエントコンピュータの画面上へのウエブサーバにおける個人情報の表示を可能としたことを特徴とする個人情報提供システム。
【請求項６】
請求項５に記載の発明において、個人情報はその個人の健康関連情報であることを特徴とする個人情報提供システム。
【請求項７】
請求項６に記載の発明において、前記ウエブサーバにおける個人の健康関連情報としての健康診断結果の格納領域に検診項目毎に一連の所定回数の健康診断結果を格納する手段を備えたことを特徴とする個人情報提供システム。
【請求項８】
請求項７に記載の発明において、検診項目毎に今回の健康診断結果と先行の健康診断結果とを比較する手段と、比較の結果を表示する手段とを備えたことを特徴とする個人情報提供システム。
【請求項９】
コンピュータに、コンピュータへの記録媒体の装着を認識せしめる手順と、記録媒体の装着画認識時において、記録媒体に書き込まれたウエブサーバのアドレスを読取る手順と、前記記録媒体に書き込まれた特定個人を識別する識別因子を読取る手順と、前記クライエントコンピュータを読取られたアドレスよりウエブサーバに自動接続する手順と、ウエブサーバにおける前記識別因子に対応する領域へのアクセスを認証せしめる手順と、クライエントコンピュータの画面上へウエブサーバにおける前記識別因子に対応する領域における個人情報の表示せしめる手順とを実行させるプログラム。
【請求項１０】
請求項９に記載の発明において、個人情報はその個人の健康関連情報であることを特徴とするプログラム。
【請求項１１】
クライエントコンピュータへの装着により、それに記録されたプログラムを自動起動させうるタイプの記録媒体であって、その個人を特定する識別因子を書き込んだ領域と、個人情報を格納したウエブサーバのアドレスを書き込んだ領域と、クライエントコンピュータへの装着時、クライエントコンピュータをウエブサーバへ自動接続開始若しくは準備の手順を書き込んだ領域とを有しており、クライエントコンピュータに装着するだけで、ウエブサーバにおける前記識別因子に対応する領域へのアクセスを自動認証し、クライエントコンピュータの画面上への個人情報の表示を可能としたことを特徴とする個人情報提供記録媒体。
【請求項１２】
コンピュータに、コンピュータへの記録媒体の装着を認識せしめる手順と、記録媒体の装着画認識時において、記録媒体に書き込まれたウエブサーバのアドレスを読取る手順と、前記記録媒体に書き込まれた特定個人を識別する識別因子を読取る手順と、前記クライエントコンピュータを読取られたアドレスよりウエブサーバに自動接続する手順と、ウエブサーバにおける前記識別因子に対応する領域へのアクセスを認証せしめる手順と、クライエントコンピュータの画面上へウエブサーバにおける前記識別因子に対応する領域における個人情報の表示せしめる手順とを実行させるプログラムを格納した記録媒体。
【請求項１３】
請求項１１もしくは１２に記載の発明において、個人情報はその個人の健康関連情報であることを特徴とする記録媒体。
【発明の詳細な説明】
【技術分野】
【０００１】
この発明は健康診断結果を含む健康関連情報などの個人情報をインターネットを活用してタイムリーにかつ効率的に入手することを可能とする個人情報提供方法、システム、プログラム及び記録媒体に関するものである。
【背景技術】
【０００２】
一定規模以上の企業においては定期的な健康診断が義務付けられている。健康診断においては、その健康診断結果は各種の検査項目についてその結果を表示した紙で提供される。そして、異常のあった検査項目については注意を促すような記載が追加されることが普通である。
【０００３】
従来の健康診断では診断結果はその都度紙で提供されるのみであり、大抵は受診者はその結果を受け取るだけで安心し、引き出しの中等にしまい込んでしまい、再び見ることはあまりなく、検査結果を適切に検討すれば見つけられ得た異常を見逃してしまうことが少なくなく、検診結果が有効活用されている、という状況にはなかった。
【０００４】
そこで、個人毎に健康診断結果をデータベースに格納しておき、インターネットを活用して受信者端末から要求があった場合に端末ID及びパスワードによって使用権を判定し、使用権があった場合に健康診断結果を受信者端末に送信するようにしたものが提案されている（特許文献１参照）。
【０００５】
【特許文献１】特開２００２−２１５８０７号公報
【発明の開示】
【発明が解決しようとする課題】
【０００６】
特許文献１に記載の従来技術には、受信者側の端末からサーバに格納した健康診断結果の取得を可能とするものではあるが、端末とサーバとの接続及び認証操作は受信者側で行なわなければならない。このような操作はコンピュータの操作に未熟なものにとっては敷居が高く活用され難くする原因となっていた。そのため、コンピュータのなれたものに操作を任せることがあるが、そうするとIDやパスワードを他人が知りうるため個人情報の漏洩が起こりやすい問題点があった。
【０００７】
この発明は以上の従来技術の問題点に鑑みてなされたものであり、データベースへの接続・認証操作をコンピュータの操作に未熟なものであっても容易確実に行いうるようにしつつ個人情報の漏洩がおこり難いようにし、また、所謂ＰＣ互換機のようなありふれたコンピュータにおいても使用できるようにすることを目的とする。
【課題を解決するための手段】
【０００８】
請求項１に記載の発明によれば、個人毎にウエブサーバに情報を格納し、ウエブサーバにおいて個人毎に識別因子を割り当て、その個人の識別因子を格納すると共にウエブサーバのアドレスを格納した自己起動型の記録媒体を個人毎に別々に提供し、クライエントコンピュータへの記録媒体の装着の有無を記録媒体装着検知手段にて検知し、装着を検知された記録媒体中の前記アドレス及び識別因子を読取手段にて読取り、クライエントコンピュータを読取られた前記アドレスのウエブサーバに接続手段にて接続すると共に、読み取られた識別因子に対応するウエブサーバ中の個人情報格納領域へのアクセスを認証手段により認証し、これによりクライエントコンピュータ側よりその特定個人の情報の取得を可能とするようにしたことを特徴とする個人情報提供方法が提供される。
【０００９】
ここに自己起動型の記憶媒体とは、コンピュータに装着したときにその記憶媒体に格納した実行型のプログラムを自動的に起動するような記憶媒体をいうが、自己起動型といってもあくまでもコンピュータのオペレーティングシステムがそれをサポートしている場合に自己起動を実現しうる。例えば、マイクロソフト社のオペレーティングシステムであるWINDOWSにおいてはCDROMドライブは自己起動をサポートしており、CDROMドライブに媒体を装着すると、媒体に格納された実行型のプログラムを自動起動させることができる。
【００１０】
また、ウエブサーバとは個人データ収納のため、特定箇所に設置され、インターネットなどの電話回線に接続され、IPアドレスなどにより特定されるアドレスを備え、TCP/IPなどのプロトコルにより外部に接続されうるようにされたコンピュータのことをいう。
【００１１】
また、クライエントコンピュータとは、設置箇所を問わないが、それに備えたオペレーティングシステムが特定記憶媒体の装着時にそれに格納された実行型のプログラムの自動起動をサポートしており、かつIPアドレスなどにより特定されるアドレスを備え、TCP/IPなどのプロトコルにより外部に接続されうるようにされたものである。
【００１２】
請求項２に記載の発明によれば、請求項１に記載の発明において、個人情報はその個人の健康関連情報であることを特徴とする個人情報提供方法が提供される。
【００１３】
請求項３に記載の発明によれば、請求項２に記載の発明において、前記ウエブサーバは、個人の健康関連情報として、検診項目毎に一連の所定回数の健康診断結果を格納していることを特徴とする個人情報提供方法が提供される。
【００１４】
請求項４に記載の発明によれば、請求項３に記載の発明において、検診項目毎に今回の健康診断結果と先行の健康診断結果とを比較手段により比較し、比較の結果を表示手段により表示するようにしたことを特徴とする個人情報提供方法が提供される。
【００１５】
請求項５に記載の発明によれば、個人毎に情報を格納したウエブサーバと、ウエブサーバにおいて個人毎に識別因子を割り当てる手段と、個人毎に提供され、その個人の識別因子及びウエブサーバのアドレスを格納した自己起動型の記録媒体と、クライエントコンピュータへの記録媒体の装着を検知する手段と、記録媒体の装着時に自動起動され、記録媒体に格納された前記アドレス及び識別因子を読取る手段と、クライエントコンピュータを読み取られたアドレスに対応するウエブサーバに自動接続せしめる手段と、読み取られた識別因子に対応するウエブサーバ中の個人情報格納領域へのアクセスを認証する手段とを備え、クライエントコンピュータの画面上へのウエブサーバにおける個人情報の表示を可能としたことを特徴とする個人情報提供システムが提供される。
【００１６】
請求項６に記載の発明によれば、請求項５に記載の発明において、個人情報はその個人の健康関連情報であることを特徴とする個人情報提供システムが提供される。
【００１７】
請求項７に記載の発明によれば、請求項６に記載の発明において、前記ウエブサーバにおける個人の健康関連情報としての健康診断結果の格納領域に検診項目毎に一連の所定回数の健康診断結果を格納する手段を備えたことを特徴とする個人情報提供システムが提供され、請求項３に記載の発明と同様な効果が得られる。
【００１８】
請求項８に記載の発明によれば、請求項７に記載の発明において、検診項目毎に今回の健康診断結果と先行の健康診断結果とを比較する手段と、比較の結果を表示する手段とを備えたことを特徴とする個人情報提供システムが提供され、請求項４の発明と同様な効果が得られる。
【００１９】
請求項９に記載の発明によれば、コンピュータに、コンピュータへの記録媒体の装着を認識せしめる手順と、記録媒体の装着画認識時において、記録媒体に書き込まれたウエブサーバのアドレスを読取る手順と、前記記録媒体に書き込まれた特定個人を識別する識別因子を読取る手順と、前記クライエントコンピュータを読取られたアドレスよりウエブサーバに自動接続する手順と、ウエブサーバにおける前記識別因子に対応する領域へのアクセスを認証せしめる手順と、クライエントコンピュータの画面上へウエブサーバにおける前記識別因子に対応する領域における個人情報の表示せしめる手順とを実行させるプログラムが提供される。
【００２０】
請求項１０に記載の発明によれば、請求項９に記載の発明において、個人情報はその個人の健康関連情報であることを特徴とする個人情報提供プログラムが提供され、請求項２と同様な効果が得られる。
【００２１】
請求項１１に記載の発明によれば、クライエントコンピュータへの装着により、それに記録されたプログラムを自動起動させうるタイプの記憶媒体であって、その個人を特定する識別因子を書き込んだ領域と、個人情報を格納したウエブサーバのアドレスを書き込んだ領域と、クライエントコンピュータへの装着時、クライエントコンピュータをウエブサーバへ自動接続開始若しくは準備の手順を書き込んだ領域とを有しており、クライエントコンピュータに装着するだけで、ウエブサーバにおける前記識別因子に対応する領域へのアクセスを自動認証し、クライエントコンピュータの画面上への個人情報の表示を可能としたことを特徴とする個人情報提供記憶媒体が提供される。
【００２２】
請求項１２に記載の発明によれば、コンピュータに、コンピュータへの記録媒体の装着を認識せしめる手順と、記録媒体の装着画認識時において、記録媒体に書き込まれたウエブサーバのアドレスを読取る手順と、前記記録媒体に書き込まれた特定個人を識別する識別因子を読取る手順と、前記クライエントコンピュータを読取られたアドレスよりウエブサーバに自動接続する手順と、ウエブサーバにおける前記識別因子に対応する領域へのアクセスを認証せしめる手順と、クライエントコンピュータの画面上へウエブサーバにおける前記識別因子に対応する領域における個人情報の表示せしめる手順とを実行させるプログラムを格納した記録媒体が提供される。
【００２３】
請求項１３に記載の発明によれば、請求項１１もしくは１２に記載の発明において、個人情報はその個人の健康関連情報であることを特徴とする記録媒体が提供され、その作用効果は請求項２と同様である。
【発明の効果】
【００２４】
請求項１の発明の作用・効果を説明すると、記憶媒体をクライエントコンピュータに装着することにより記憶媒体（例えばCD-R）に記載されたアドレスの読み取りによるウエブサーバへの自動接続及び記憶媒体に記載されたその個人の識別因子の読み取りによる自動認証が行われる。即ち、記憶媒体をクライエントコンピュータに装着するだけで、クライエントコンピュータは記憶媒体に記載されたその個人に識別番号などの識別因子及びウエブサーバのアドレスの読み取り、そのウエブサーバとの接続を行う。他方、ウエブサーバはその識別因子よりその識別因子に対応した領域における個人情報のアクセスへの認証を行い、記憶媒体の装着だけ（必要あればパスワードの入力）という簡単な操作で認証を完了させることができできる。そして、クライエントコンピュータ側のブラウザによりウエブサーバに格納された検診結果などの個人情報の閲覧を簡便に行うことができる。
【００２５】
請求項２の発明の作用・効果を説明すると、ウエブサーバに格納された自分の健康関連情報に記憶媒体をクライエントコンピュータに装着するだけでその個人の健康関連情報にアクセスすることができる。そして、従来の紙による健康診断結果と比較して場所上の制約なく、外国を含めた旅先などであっても、記憶媒体を携行してさえいれば健康診断結果の利用が随時かつ簡単に可能である。
【００２６】
請求項３の発明の作用・効果を説明すると、検診項目毎に一連の診断結果を格納しており、健康診断結果の利用価値をより高めることができる。
【００２７】
請求項４の発明の作用・効果を説明すると、検診項目毎に診断結果を比較し、表示することにより健康状態のより的確な把握に寄与させることができる。
【００２８】
請求項５の発明の作用・効果は請求項１に記載の発明と同様であり、記憶媒体の装着という簡単な操作だけで認証を完了させることができでき、クライエントコンピュータ側のブラウザなどにより検診結果などの個人情報の閲覧を簡便に行うことができる。
【００２９】
請求項６の発明の作用・効果は請求項２に記載の発明と同様であり、クライエントコンピュータへのその個人の記憶媒体の装着だけで、ウエブサーバにおける自らの健康関連情報へのアクセスの認証が完了し、そのクライエントコンピュータの画面にウエブブラウザなどにより健康関連情報を表示させることができる。
【００３０】
請求項７の発明の作用・効果を説明すると、検診項目毎に一連の診断結果を格納しており、健康診断結果の利用価値をより高めることができ、請求項３に記載の発明と同様な効果が得られる。
【００３１】
請求項８の発明の作用・効果を説明すると、検診項目毎に診断結果を比較し、表示することにより健康状態のより的確な把握に寄与させることができる、請求項４の発明と同様な効果が得られる。
【００３２】
請求項９の発明の作用・効果を説明すると、コンピュータ（クライエントコンピュータ）に記憶媒体を装着するのみでウエブサーバに接続が完了する。そのため、ウエブサーバ側ではクライエントコンピュータから取得した識別因子によりウエブサーバにおけるその識別因子に応じた個人情報の格納領域へのアクセスが自動認証することができ、延いてはクライエントコンピュータのブラウザに個人情報を表示せしめることができる。
【００３３】
請求項１０に記載の発明によれば、請求項９に記載の発明において、個人情報はその個人の健康関連情報であることを特徴とする個人情報提供プログラムが提供され、請求項２と同様な効果が得られる。
【００３４】
請求項１１の発明の作用・効果を説明すると、クライエントコンピュータに記憶媒体を装着するのみでクライエントコンピュータに識別因子及びウエブサーバのアドレスを読み込ませ、ウエブサーバとの接続操作を開始せしめることができ、それに後続するウエブサーバにおける識別因子の認証によりクライエントコンピュータのブラウザに個人情報を表示せしめることができる、記憶媒体の装着だけでウエブサーバへの接続及びホームページの閲覧を開始せしめうるという効果が得られる。同様な作用効果が請求項１２の発明についても得られる。
【００３５】
請求項１３の発明の作用・効果を説明すると、個人情報をその個人の健康関連情報とすることにより請求項２と同様な作用効果が得られる。
【発明を実施するための最良の形態】
【００３６】
図１はこの発明の実施形態としてのインターネット検診結果提供システムを概略的に示しており、インターネットサーバ１０は健康診断結果についてのデータベースとなるものであり、個人毎に健康診断の結果が格納されている。データベースへの格納は個人別に設定した識別番号（本発明の識別因子）毎に行われており、この発明に従って、識別番号に一致した個人のデータのみアクセス可能になっている。企業などにより定期的に行われる健康診断の検査項目は：
血液一般検査として：
白血球数
赤血球数
モグロビン
ヘマトクリット
血小板数
肝機能検査として：
総たんぱく
アルブミン
LDH（乳酸脱水酵素）
ALP（アルカリフォスターゼ）
GOT（AST）
GPT(ALT)
γ-GTP
ZTT（硫酸亜鉛反応）
TTT（チモール混濁試験）
T-BIL(総ビリルビン)
D-BIL（直接ビリルビン）
Ch-E（コリンエステラーゼ）
脂質代謝検査として：
総コレステロール
TG(中性脂肪)
HDLコレステロール
LDLコレステロール
糖尿病検査として：
空腹時血糖(GLU)
尿糖
グリコヘモグロビン
痛風検査として：
尿酸
心筋・筋肉検査として：
CK(クレアチンキナーゼ)
貧血検査として：
Fe（血清鉄）
腎機能として：
クレアチニン
尿素窒素
膵機能として：
アミラーゼ
尿中アミラーゼ
電解質：
Na（ナトリウム）
Cl（クロール）
K（カリウム）
リウマチ検査として：
RA（RAテスト）
梅毒検査として：
TPHA
ガラス板
肝炎検査として：
HBs-Ag
HBs-Ab
HCV
腫瘍マーカーとして：
CEA（癌胎児性抗原）
AFP（α-フェトプロテイン）
PSA(男性のみ)前立腺特異抗原
CA-19-9
CA-125
等であるが、これらのデータが過去の一連の健康診断結果の夫々について識別番号で特定される個人毎にデータベース化されている。データベースへのデータの格納は健康診断の実施機関からインターネット経由でデータベースに送るか、MDやフレキシブルディスクなどの媒体よりデータベースに格納することも可能であり、その手法如何は本発明では問わない。
【００３７】
以上のような健康診断結果に加えて、データベースには被受診者個人毎に自己申告による診断録及び健康診断時における医師による診療録を格納することができる。その被受診者の自己申告による診断録はこの実施形態においてはマイカルテと名づけられた図９の如きフォーマットにて構成され、健康診断に先立って各被受診者毎にフォーマットが渡され、手書きもしくはワードプロセッサにより各項目が入力され、センターに集められ被受診者毎にデータベースに入力される。マイカルテの内容は端末パーソナルコンピュータからは後述のようにその被受診者に限りアクセスできるようになっている。また、医師の診療録は図１０の如きフォーマットに構成され、健康診断時に医師は個人毎に問診しながらその結果を手書きもしくはワードプロセッサにより必要項目の入力を行い、センターに集められ被受診者毎にデータベースに入力されるようになっている。医師の診療録は医療機関における医師などの活用のためデータベースに格納したものであって、その個人といえどもデータベースから参照することはできないようにすべきである。
【００３８】
クライエントコンピュータ12A, 12B, 12Cは所謂PC互換機として市販されているパーソナルコンピュータ等を使用することができ、CDROMドライブを備えていることが必須である。また、オペレーティングシステム(OS)としてはグラフィックインタフェースのオペレーティングシステム（例えばマイクロソフト社のWINDOWS（マイクロソフト社の登録商標）やアップルコンピュータ社のMACOS）をインストールしたものであることが好ましく、ＯＳにはインターネットホームページのブラウザ（例えばマイクロソフト社のインターネットエクスプローラやネットスケープ社のネットスケープナビゲータ等）がインストールされている必要がある。クライエントコンピュータ12A, 12B, 12CはADSLモデムやルータなどにより電話回線によってインターネットサーバ１０に接続可能となっているものであれば設置個所は問わない。
【００３９】
クライエントコンピュータ12A, 12B, 12Cに備えられるCDROMドライブはCDROM（記憶媒体）装着時にCDROMに格納した実行型のソフトウエアを自動起動させることが可能なものであることが必須である。CDROM媒体としては書き込み可能なCD-R媒体のものが好ましく、CD-R媒体14-1, 14-2, 14-3は個人毎に提供される。この発明の実施に最適なCD-R媒体としてはカード型のCD-R媒体であり、このカード型のCD-R媒体は名刺と同一寸法であり、定期券入れや名刺入れ等に収納していつも携帯しておくことができるという点で利便性に優れている。このカード型のCD-R媒体14-1, 14-2, 14-3 にはその特定個人の識別番号(ID)とデータベースへのアクセスのためのアドレス（URLアドレス）が格納されると共に、媒体14-1, 14-2, 14-3をクライエントコンピュータ12A, 12B, 12CのCDROM ドライブに装着時にその媒体に書き込まれているURLアドレス、即ち、インターネットサーバ１０に電話回線を介しTCP/IPプロトコルなどにて接続し、認証を行い若しくは認証準備させ、クライエントコンピュータ12A, 12B, 12Cにインストールされたブラウザを起動させ又はその起動を準備させ、個人情報の表示を可能とさせるプログラムを格納している。自動起動の方式としてはOSがWINDOWSの場合は、媒体の第１階層にAUTORUNと名づけられたテキスト(TEXT)型ファイルが格納され、このテキスト型ファイルに記載された実行型 (**.exc型)のファイルを実行させる方式である。即ち、OSとしてWINDOWSを組み込んだ所謂PC互換機の場合OSの機能手段としてコンピュータへの記録媒体CDROMの装着を検知する機能（本発明の記録媒体検知手段の機能）、CDROMの所定領域に格納されたCDROMの所有者の識別番号(ID)を読み取る機能（本発明の読取手段の機能）、CDROMの所定領域に格納されたサーバのアドレスを読み取る機能およびそのアドレスにクライエントコンピュータ12A, 12B, 12Cを接続する機能（本発明の接続手段の機能）を具備している。そして、インターネットサーバ１０は、媒体14-1, 14-2, 14-3の挿入によって惹起された電話回線を介してのクライエントコンピュータ12A, 12B, 12Cとの接続時、その媒体に格納された識別番号(ID)を読み取り、その媒体が装着されたクライエントコンピュータを、読み取られた識別番号に対応するインターネットサーバ１０の領域にアクセス可能とする。その結果、クライエントコンピュータ12A, 12B, 12Cは識別番号(ID)に対応するインターネットサーバ１０への接続を認証（本発明の認証手段の機能）され、クライエントコンピュータ12A, 12B, 12Cはブラウザによりその識別番号の個人の検診結果を表示（本発明の表示手段の機能）することができる。これにより、CDROM装着からインターネットへの自動接続および認証更にはその個人データのクライエントコンピュータ12A, 12B, 12Cへの表示を行うシステムを構築することができる。
【００４０】
以下、この発明のインターネット検診結果提供システムの動作を図２のフローチャートにより説明すると、自分の健康診断結果を見たいユーザは定期券入れや名刺入れなどに携帯しているカード型のCD-R媒体14-1, 14-2, 14-3を身近な場所（自分の家でも良いし、インターネッカフェでも、外国でも良い）にあるクライエントコンピュータ12A, 12B, 12CのCDROM ドライブに装着することにより、CD-R媒体14-1, 14-2, 14-3が自動検知され、CD-R媒体14-1, 14-2, 14-3に格納されたインターネット接続プログラムが自動起動される。図２において、ステップ２０はこのような自動起動型のプログラムの開始を示し、次にステップ２２ではクライエントコンピュータ12A, 12B, 12Cが電話回線に接続されているか否かチェックされる。ADSLなどの常時接続回線の場合はステップ２２の判断は必ずＹＥＳであり、ステップ２４に進むが、通常回線であって未接続の場合はステップ２２の判断がＮＯとなり、ステップ２３に進み、ネット接続を要求する画面がクライエントコンピュータ12A, 12B, 12Cの画面に表示され、ダイアルアップ接続プログラム等の手動操作によってインターネット接続を行い。インターネット接続の確立によりステップ２２の判断がＹＥＳとなり、ステップ２４に進む。
【００４１】
ステップ２４では装着されたカード型のCD-R媒体14-1, 14-2, 14-3に書き込まれた識別番号(ID)の読み取りが行われる。前述の通り、識別番号は各ユーザに固有の番号として設定されたものであり、CD-R媒体14-1, 14-2, 14-3に書き込むことによって特定ユーザに供与されている。そして、ステップ２６ではCD-R媒体14-1, 14-2, 14-3に書き込まれたインターネットサーバ１０のURLアドレスの読み取りが行われる。
【００４２】
ステップ２８ではサーバコンピュータ１０において読み取られた識別番号(ID)がインターネットサーバ１０中に存在しているか否かのチェックが行われる。サーバ１０中にその識別番号(ID)の登録がなければＮＯと判定し、ステップ２９に進み、クライエントコンピュータの画面に接続拒否の表示を行い、ステップ３２に抜け、処理を終了する。
【００４３】
装着されたカード型のCD-R媒体14-1, 14-2, 14-3から読み取られた識別番号(ID)がインターネットサーバ１０中に存在していると判断される場合（認証された場合）はステップ２８においてＹＥＳに分岐し、ステップ３０においてクライエントコンピュータにパスワード表示画面が表示される。パスワード表示画面としては例えば図３のようなものであり、登録されたパスワードを打ち込み、ログインボタンをクリックすることにより先に進むことができる。再び図２において、ステップ３２では入力されたパスワードが存在するか否かのチェックが行われ、入力に係わるパスワードが存在しない場合はステップ３０に戻り、正しいパスワードの入力を促し、パスワードが存在する場合はステップ３４に進み、クライエントコンピュータにインストールされたインターネット閲覧ソフト（例えばマイクロソフト社のインターネットエクスプローラ）が起動され、ステップ２６で取得されたURLアドレスの内容（即ち、このURLアドレスのホームページの内容）がクライエントコンピュータ12A, 12B, 12Cの画面に表示される。
【００４４】
クライエントコンピュータ12A, 12B, 12Cの画面上のホームページの表示内容としては例えば図４に略示した如きものであり、画面上には各種の被クリック領域（アイコン）16-1, 16-2, 16-3, 16-6等が表示され、被クリック領域16-1, 16-2, 16-3, 16-6等をマウスなどのポインタによってクリックすることにより各種の処理がされる。領域16-1をクリックするとこの発明の実施形態における核心部分であるその識別番号(ID)のユーザの検診結果が表示され、領域16-6をクリックするとその識別番号(ID)のユーザの自己診断結果が表示され、必要に応じてその他の被クリック領域が設けられ、これらはこの発明とは直接関係しないためその詳細は説明しないが、例えば、領域16-2をクリックすると各種の病院の検索画面が現れ、領域16-3をクリックすると各種の運動施設の検索画面が現れる。また、領域16-4をクリックすることによりパスワード変更画面が現れ、領域16-5をクリックするとログアウトされ、クライエントコンピュータとインターネットサーバ１０との接続は解除される。その他、健康関連のサイトへのリンクなどの適当な被クリック領域を画面上に設けることができる。
【００４５】
図２において、ステップ３６以下は図４の初期画面において各種の被クリック領域をクリックしたときの処理の流れを示し、ステップ３６で領域16-1をクリックするとステップ３７に進み、診断結果表示が表示され、ステップ３８で図４の領域16-6をクリックするとステップ３９に進み、マイカルテが表示され、以下点線にて示す部分において図４のクリック領域16-2, 16-3, 16-5などをクリックしたとき実行される処理が行われ、ステップ３８では領域16-5がクリックされたか否かの判定処理を示し、領域16-5のクリックが行われないときはステップ３６以下が繰り返され、領域16-5のクリックによってログアウトされる。
【００４６】
図５はクライエントコンピュータ12A, 12B, 12Cの画面上の被クリック領域16-1をクリックしたとき表示されるクライエントコンピュータの画面であり、この画面にはその識別番号(ID)のユーザ（山田太郎）の最新の健康診断結果が表示され、前記した検診における各項目に対する基準値、そのユーザの今回の検査結果が表示され、前回の結果と先行の検査結果とを比較し（本発明の比較手段）、異常な数値の項目については注意表示41, 42が現れ（本発明の表示手段）、この表示41, 42の部分において画面をクリックすることによりユーザに対する注意事項、例えば、表示４１のγ−ＧＴＰの異常の場合は「アルコール性肝炎の疑い：のみ過ぎに注意」などの表示がされ、表示４２のＴＧ（中性脂肪）の異常の場合についてもその原因や注意事項などの適当な表示がされる。
【００４７】
また、クライエントコンピュータ12A, 12B, 12Cの画面上の被クリック領域16-6がクリックされると図９に関しすでに説明したマイカルテが表示される。マイカルテは健康診断に先立ってユーザ（被受診者）がフォーマットに従って入力しておいたものを、データベースに取り込んでおいたものであり、クライエントコンピュータ12A, 12B, 12C からアクセスすることによりそのユーザが確認することができる。
【００４８】
図５の検診結果画面の下部には被クリック領域44-1, 44-2, 44-3が設けられ、被クリック領域44-1のクリックにより図６の画面が表示され、この画面には各検査項目について今回の検査結果及び前回の検査結果が表示され、各項目について数値の変化を即座に把握することができる。
【００４９】
また、図５の検診結果画面で被クリック領域44-2をクリックすると、図７の検査項目表示画面が出現し、各検査項目の先頭に設けられたラジオボタンの適当な一つをクリックすると、そのクリックされた項目について一連の検診について数値の変化をグラフで確認することができる。即ち、図７では一番最初の白血球数についてのラジオボタン４６がクリックされており、表示ボタン４８をクリックすることにより図８のグラフがポップアップ式に出現され、最近の一連の検査においてのその項目の数値変化を一目で即座に把握することができる。
【００５０】
以上述べたように、この発明の実施形態のインターネット検診結果提供システムにおいては、インターネットに接続されたクライエントコンピュータのCDROMドライブにそのユーザに供給された携行されたカード型CD-R媒体を装着することで、検診結果を格納したインターネットサーバに自動的に認証・接続され、クライエントコンピュータのインターネットブラウザによりサーバに格納されたそのユーザの検診結果を表示することができ、ユーザはカード型CD-Rを携帯していさえすれば、身近のインターネット接続コンピュータによって即座に接続認証を受け、検診結果を簡便に把握確認することができる。
【図面の簡単な説明】
【００５１】
【図１】図１はこの発明の実施形態における個人情報提供システムの概略構成図である。
【図２】図２はこの発明の実施形態における個人情報提供システムの動作を説明する概略フローチャートである。
【図３】図３はログイン画面を示す図である。
【図４】図４はホームページの概略画面構成を示す図である。
【図５】図５は検診結果画面のコピーである。
【図６】図６は検診結果比較画面のコピーである。
【図７】図７はグラフ化項目選択画面のコピーである。
【図８】図８はポップアップされたグラフ表示画面のコピーである。
【図９】図９は検診前のユーザの自己申告診療録（マイカルテ）の入力フォーマットの一例を示す。
【図１０】図１０は検診時の医師による診療録の入力フォーマットの一例を示す。
【符号の説明】
【００５２】
１０...インターネットサーバ
12A, 12B, 12C...クライエントコンピュータ
14-1, 14-2, 14-3...CD-R媒体
【図１】
2004220576.tif 000003
【図２】
2004220576.tif 000004
【図３】
2004220576.tif 000005
【図４】
2004220576.tif 000006
【図５】
2004220576.tif 000007
【図６】
2004220576.tif 000008
【図７】
2004220576.tif 000009
【図８】
2004220576.tif 000010
【図９】
2004220576.tif 000011
【図１０】
2004220576.tif 000012